(57)【要約】      （修正有）【課題】ハートカム式ロック装置のリテーナ部の長さを長くすることなく、ハートカム式ロック装置を確実に機能させる収納装置を提供する。【解決手段】開口をもつボックス本体１と、ボックス本体１に対して揺動可能に保持され開口を開閉するリッド２と、を備えた収納装置であって、ボックス本体１とリッド２との間にはハートカム式ロック装置が介在され、ボックス本体１に対向するリッド２の表面に軟質のクッション部材２６を有し、クッション部材２６の周囲にリブ２５を形成し、リブ２５がボックス本体１の受け面１２に当接することでクッション部材２５が過度に弾性変形することが無いよう構成した。したがってハートカム式ロック装置のリテーナ部３の長さを不要に長くすることなく、リテーナ部３からロックピンが外れたり、ロックピンがリテーナ部３と干渉して損傷するような不具合を未然に防止することができる。【選択図】図４
2010149567.tif 000002
【特許請求の範囲】
【請求項１】
開口をもつボックス本体と、該ボックス本体に対して揺動可能に保持され該開口を開閉するリッドと、を備えた収納装置であって、
該ボックス本体と該リッドとの間にはハートカム式ロック装置が介在され、
該リッドに対向する該ボックス本体の表面及び該ボックス本体に対向する該リッドの表面の少なくとも一方には軟質のクッション部材を有し、
該リッドに対向する該ボックス本体の表面及び該ボックス本体に対向する該リッドの表面の少なくとも一方には他方に当接することで該クッション部材の変形量を規制する当接部を有することを特徴とする収納装置。
【請求項２】
前記当接部は、前記クッション部材の外周に配置されたリング状のリブである請求項１に記載の収納装置。
【請求項３】
前記当接部は、前記ボックス本体又は前記リッドのうち前記クッション部材が保持されている側に形成されている請求項１又は２に記載の収納装置。
【発明の詳細な説明】
【技術分野】
【０００１】
本発明はグラブボックス、コンソールボックス、カップホルダなど、開口を開閉するリッドをもつ収納装置に関する。
【背景技術】
【０００２】
自動車のグラブボックス、コンソールボックス、カップホルダなどには、不使用時の外観を向上させるために、ボックス本体の開口を開閉できるリッドが設けられている。しかしボックス本体とリッドは、硬質樹脂から形成されるのが一般的であるために、閉時にボックス本体とリッドとが衝突すると衝突音が発生するという不具合があった。
【０００３】
そこで特開2002−087168号公報、実開平06−032204号公報などには、ボックス本体又はリッドの一方から突出するように軟質のクッション部材を取付けた収納装置が記載されている。このようなクッション部材が介在することで、閉時にボックス本体とリッドとが直接的に衝突するのを回避することができ、衝突音の発生を防止することができる。
【０００４】
また上記した収納装置においては、開動作を自動化するためのスプリングが配置されるのも一般的である。そして閉時におけるプッシュ操作のみでスプリングが付勢力を蓄えた状態でリッドをロックし、プッシュ操作のみでロックを解除するとともにスプリングの付勢によってリッドを開状態へ移動させるために、プッシュロックオープン装置が用いられている。
【０００５】
プッシュロックオープン装置としては、例えば特開2005−319948号公報に記載のようなハートカム式ロック装置が広く用いられている。このハートカム式ロック装置は、ハートカムを有するリテーナ部と、ロックピン部とを有し、リテーナ部又はロックピン部が揺動可能となっている。そしてリテーナ部又はロックピン部の一方を押し動作することで、ロックピン部から突出するロックピンがハートカムの凹部に誘導されてロック状態となり、その状態から再びリテーナ部又はロックピン部の一方を押し動作することで、ロックピンが誘導されハートカムの凹部から脱出してロックが解除される。
【０００６】
ところがハートカム式ロック装置をもつ収納装置にクッション部材を設けた場合には、以下のような不具合が発生する。すなわち閉状態にあるリッドをプッシュして開く場合には、クッション部材が押圧されて弾性変形するが、その変形量を規制することができない。したがって上記押し動作時に、リテーナ部とロックピン部との相対移動距離が不定となり、リテーナ部からロックピンが外れたり、ロックピンがリテーナ部と干渉して損傷する場合があった。
【０００７】
そこでクッション部材の最大変形量を見越してリテーナ部の長さを長くすることが行われているが、リテーナ部の長さを不必要に長くすることはスペース面などから好ましいことではない。
【特許文献１】特開2002−087168号公報
【特許文献２】実開平06−032204号公報
【特許文献３】特開2005−319948号公報
【発明の開示】
【発明が解決しようとする課題】
【０００８】
本発明は上記事情に鑑みてなされたものであり、ハートカム式ロック装置とクッション部材とを有する収納装置において、ハートカム式ロック装置のリテーナ部の長さを長くすることなく、ハートカム式ロック装置を確実に機能させることを解決すべき課題とする。
【課題を解決するための手段】
【０００９】
上記課題を解決する本発明の収納装置の特徴は、開口をもつボックス本体と、ボックス本体に対して揺動可能に保持され開口を開閉するリッドと、を備えた収納装置であって、ボックス本体とリッドとの間にはハートカム式ロック装置が介在され、リッドに対向するボックス本体の表面及びボックス本体に対向するリッドの表面の少なくとも一方には軟質のクッション部材を有し、リッドに対向するボックス本体の表面及びボックス本体に対向するリッドの表面の少なくとも一方には他方に当接することでクッション部材の変形量を規制する当接部を有することにある。
【発明の効果】
【００１０】
本発明の収納装置は、クッション部材の変形量を規制する当接部を有している。したがって本発明の収納装置によれば、開時あるいは閉時にリッドをボックス本体に向かって押圧した場合には、当接部が相手部材に当接することでクッション部材の変形量を規制することができる。したがってハートカム式ロック装置のリテーナ部の長さを不要に長くすることなく、リテーナ部からロックピンが外れたり、ロックピンがリテーナ部と干渉して損傷するような不具合を未然に防止することができる。
【発明を実施するための最良の形態】
【００１１】
本発明の収納装置は、ボックス本体と、リッドとを備えている。ボックス本体は、収納物の入口及び出口となる開口を備え、ボックス本体に対して揺動可能に保持されたリッドがその開口を開閉する。
【００１２】
ボックス本体とリッドとの間には、ハートカム式ロック装置が介在されている。このハートカム式ロック装置は、ハートカムを有するリテーナ部と、ロックピン部とを有するものであり、従来と同様のものを用いることができる。リテーナ部をボックス本体側に形成し、リッド側にロックピン部を形成してもよいし、その逆にロックピン部をボックス本体側に形成しリテーナ部をリッド側に形成することもできる。リテーナ部及びロックピン部の一方は揺動自在に配置する必要があるが、リテーナ部を固定してロックピン部を揺動自在に配置してもよいし、ロックピン部を固定してリテーナ部を揺動自在に配置してもよい。
【００１３】
クッション部材は、ゴム、熱可塑性エラストマ、発泡ウレタンなどから形成することができる。このクッション部材は、リッドに対向するボックス本体の表面及びボックス本体に対向するリッドの表面のいずれか一方に形成すれば十分であるが、両方に形成することも可能である。クッション部材は、ボックス本体又はリッドに形成された孔部に嵌合させて保持することができるが、両面テープなどで接合してもよいし、ボックス本体又はリッドと一体成形することも可能である。
【００１４】
本発明の収納装置は、リッドに対向するボックス本体の表面及びボックス本体に対向するリッドの表面の少なくとも一方に当接部を有している。この当接部は、ボックス本体及びリッドの一方に当接することでクッション部材の変形量を規制するものである。すなわちクッション部材がボックス本体及びリッドに挟まれて潰れるように弾性変形したときに、当接部が相手部材に当接することでそれ以上の弾性変形を規制するものである。
【００１５】
すなわち当接部は、クッション部材の突出量より高さが低い突起あるいはリブとして形成することができる。この当接部は、クッション部材又はクッション部材が当接する表面の近傍に形成することが望ましい。このようにすることで、クッション部材の変形量を精度高く規制することができる。例えば、クッション部材に隣接する板状のリブ、クッション部材を囲むリング状のリブなどとすることができる。
【００１６】
当接部は、クッション部材が設けられている側に形成してもよいし、クッション部材が設けられている側と反対側に形成することもできる。どちらも同等の機能が奏される。しかしクッション部材を囲むリング状のリブを当接部とする場合には、当接部をクッション部材が設けられている側と同じ側に形成することが望ましい。このようにすることで、当接部によってクッション部材の根元部を隠すことができ外観品質が向上する。また当接部によってクッション部材を保護することができ、クッション部材の脱落を防止することができる。
【実施例】
【００１７】
以下、実施例により本発明を具体的に説明する。
【００１８】
（実施例１）
図１に本実施例の収納装置を示す。この収納装置は、センタクラスタに固定され開口をもつボックス本体１と、ボックス本体１に揺動自在に枢支され揺動によりボックス本体１の開口を開閉するリッド２と、を備えている。
【００１９】
リッド２は、左右両端に後方へ突出する左腕部20と右腕部21をもち、左腕部20と右腕部21は、それぞれ枢支軸22を介してボックス本体１に揺動自在に枢支されている。枢支軸21は上下方向の中間部に形成され、その左右両端部の外周には図示しないコイルスプリングが介挿されている。コイルスプリングは、一端がボックス本体１に係止され、他端が左腕部20と右腕部21に係止されることで、リッド２を上方へ揺動させる方向に付勢している。
【００２０】
ボックス本体１の左側壁には、ハートカムを有するリテーナ部３が揺動自在に保持されている。このリテーナ部３には、左腕部20の先端からボックス本体１の左側壁に向かって突出するロックピン10が係合可能となっている。また右腕部21の先端にはギヤ部24が形成され、ギヤ部24はボックス本体１に固定されたダンパ11と係合している。
【００２１】
またリッド２の下部裏面には、図２に示すように、左右両端にリング状のリブ25が形成され、リブ25の内部にはそれぞれゴムからなるクッション部材26が保持されている。一対のクッション部材26は、リッド２がボックス本体の開口を閉じた閉位置にあるとき（図３参照）に、開口の左右両側に形成された受け面12と僅かな間隔を隔てて対向している。
【００２２】
ボックス本体１の左側壁に揺動自在に保持されたリテーナ部３の表面には、図６に拡大して示すように、ハート形状のハートカム30と、ハートカム30に対向する島部31と、外周案内部32,33と、がリブ状に突出形成されている。ハートカム30には、ロックピン10が係止される係止凹部30aと、ロック時にロックピン10を係止凹部30aへ向かって案内する第１テーパ部30bと、が形成されている。
【００２３】
島部31と外周案内部32,33との間には、第１収容溝34と第２収容溝35が形成されている。ハートカム30の係止凹部30aに対向する島部31の表面には、ロックピン10を第１収容溝34へ案内する第２テーパ部31aが形成されている。
【００２４】
上記のように構成された本実施例の収納装置の作用を説明するが、先ずリッド２がボックス本体１の開口を閉じた閉位置から説明する。この状態では、図示しないコイルスプリングには、リッド２が枢支軸22を中心にして図３における半時計回りに回動するように付勢力が蓄えられ、ロックピン10がハートカム30の係止凹部30aに係止された位置(a)にあることでリッド２は閉状態を維持している。
【００２５】
コイルスプリングの付勢力に抗してリッド２の下端部をボックス本体１の受け面12に向かって押圧すると、ロックピン10は上方へ揺動し、ロックピン10は係止凹部30aから外れて島部31の第２テーパ部31aに当接した位置(b)となる。するとリテーナ部３がボックス本体１の左側壁に対して揺動することで、ロックピン10は第２テーパ部31aに案内され第１収容溝34に入る。
【００２６】
このとき、クッション部材26の先端が受け面12に当接し、さらにリッド２を押圧することでクッション部材26は潰れるように弾性変形する。しかしその変形は、図４に示すようにリング状のリブ25が受け面12に当接することで規制され、ロックピン10はリブ25が受け面12に当接した状態で第１収容溝34の上端位置(c)に位置している。
【００２７】
その状態でリッド２の押圧を開放すると、図示しないコイルスプリングの付勢によって、リッド２は枢支軸21を中心に図３における半時計回りに回動して図５に示す開位置となる。リッド２の揺動時には、ロックピン10は外周案内部32に案内されて図６の位置(c)から位置(d)を通過してリテーナ部３から外れる。
【００２８】
リッド２を閉じる場合には、リッド２の下端部を押圧し枢支軸22を中心に図５の時計回りに揺動させる。するとロックピン10はリテーナ部３と係合し、図６の位置(e)及び位置(f)などから外周案内部32,33に案内され、位置(g)で図３の状態となる。クッション部材26の先端が受け面12に当接した後もさらにリッド２を押圧することで、クッション部材26は潰れるように弾性変形する。しかしその変形は、図４に示すようにリング状のリブ25が受け面12に当接することで規制され、その時点では、ロックピン10はリブ25が受け面12に当接した状態で第２収容溝35の上端位置(h)に位置している。
【００２９】
そこでリッド２の押圧を開放すると、図示しないコイルスプリングの付勢によって、リッド２は枢支軸21を中心にして図３における半時計回りに回動し、ロックピン10はハートカム30の第１テーパ部30bに案内されて係止凹部30aに係止される。
【００３０】
すなわち本実施例の収納装置によれば、リブ25によってクッション部材26の過度の変形が規制されている。したがってロックピン10は第１収容溝34及び第２収容溝35の所定位置で停止し上方へ脱出することが無いので、干渉によるロックピン10の損傷が防止されている。また第１収容溝34及び第２収容溝35の長さを必要以上に長くする必要が無いので、リテーナ部３の形状が小さくなり配置の自由度が向上する。
【００３１】
またクッション部材26はリブ25によって囲まれて保護されているので、手指が触れた場合でもリッド２からの脱落を防止することができる。
【００３２】
（実施例２）
図７に本実施例の収納装置を示す。本実施例では、左腕部20及び右腕部21の先端にはそれぞれギヤ部24が形成され、ギヤ部24はボックス本体１に固定されたダンパ11とそれぞれ係合している。ボックス本体１の上壁の表面には実施例１と同様のリテーナ部３がボックス本体１と一体に形成されている。そしてリッド２の上部には、ロックピン10を有するストライカ13が揺動自在に保持され、ロックピン10がリテーナ部３と係合している。他の構成は、実施例１と同様である。本実施例の収納装置によれば、実施例１と同等の作用効果が奏されるとともに、一対のギヤ部24によってリッド２の開閉時の安定性が向上する。
【００３３】
なお上記実施例では、クッション部材26をリッド２に保持しているが、ボックス本体１の開口周縁部にクッション部材26を保持させてもよい。またリブ25をボックス本体１又はリブ２に形成し、クッション部材26とをリッド２又はボックス本体１に形成することもできる。さらにリブ25は円形に限らず、平板状あるいは突起状などとしてもよい。
【図面の簡単な説明】
【００３４】
【図１】本発明の一実施例に係る収納装置の斜視図である。
【図２】本発明の一実施例に係る収納装置に用いたリッドの裏面側の要部斜視図である。
【図３】本発明の一実施例に係る収納装置の閉状態における要部断面図である。
【図４】本発明の一実施例に係る収納装置の作用を説明する要部断面図である。
【図５】本発明の一実施例に係る収納装置の開状態における要部断面図である。
【図６】本発明の一実施例に係る収納装置に用いたリテーナ部とロックピンの動きを示す正面図である。
【図７】本発明の第２の実施例に係る収納装置の斜視図である。
【符号の説明】
【００３５】
１：ボックス本体    ２：リッド    ３：リテーナ部
10：ロックピン      25：リブ      26：クッション部材
【図１】
2010149567.tif 000003
【図２】
2010149567.tif 000004
【図３】
2010149567.tif 000005
【図４】
2010149567.tif 000006
【図５】
2010149567.tif 000007
【図６】
2010149567.tif 000008
【図７】
2010149567.tif 000009